(57)【特許請求の範囲】
【請求項１】
第一のインクと、前記第一のインクとは異なる色の第二のインクと、前記第一および第二のインク中の成分を凝集または不溶化させる反応液を記録媒体に付与して記録を行うインクジェット記録方法であって、
前記記録媒体に前記反応液を付与する第一の付与工程と、
前記第一の付与工程において前記反応液が付与された領域の少なくとも一部に、前記第一のインクを付与する第二の付与工程と、
前記第二の付与工程において前記第一のインクが付与された領域の少なくとも一部に、前記第二のインクを付与する第三の付与工程と、を有し、
前記反応液の前記記録媒体に対する濡れ時間Ｔｗ１と、前記反応液を付与してから前記第一のインクを付与するまでの時間Ｔｄ１が、
Ｔｄ１＜Ｔｗ１
の関係を満たし、且つ、
前記第一のインクと前記反応液の混合物の前記記録媒体に対する濡れ時間Ｔｗ２と、前記第一のインクを付与してから前記第二のインクを付与するまでの時間Ｔｄ２が、
Ｔｄ２＜Ｔｗ２
の関係を満たすことを特徴とするインクジェット記録方法。
【請求項２】
前記第一および第二のインクは異なる色の顔料を含有し、
前記反応液は前記顔料を凝集させるための多価金属塩を含有することを特徴とする請求項１に記載のインクジェット記録方法。
【請求項３】
第一のインクと、前記第一のインクとは異なる色の第二のインクと、前記第一および第二のインクの色材を凝集または不溶化させる反応液を付与するための付与手段を用いて記録媒体に記録を行うインクジェット記録装置であって、
前記反応液が付与された記録媒体上の領域の少なくとも一部に対して前記第一のインクを付与した後に、前記第一のインクが付与された領域の少なくとも一部に対して前記第二のインクを付与するように、前記付与手段を制御する制御手段を有し、
前記制御手段は、前記反応液の前記記録媒体に対する濡れ時間Ｔｗ１と、前記反応液を付与してから前記第一のインクを付与するまでの時間Ｔｄ１が、
Ｔｄ１＜Ｔｗ１
の関係を満たし、且つ、
前記第一のインクと前記反応液の混合物の前記記録媒体に対する濡れ時間Ｔｗ２と、前記第一のインクを付与してから前記第二のインクを付与するまでの時間Ｔｄ２が、
Ｔｄ２＜Ｔｗ２
の関係を満たすように、前記付与手段を制御することを特徴とするインクジェット記録装置。
【発明の詳細な説明】
【技術分野】
【０００１】
本発明は、インクジェット記録方法およびインクジェット記録装置に関する。詳しくは、染料や顔料などインクの色剤を不溶化または凝集させる反応液と、上記色剤が異なる２種類のインクとを用いて２次色の画像を記録するためのインクジェット記録方法およびその方法を実行するインクジェット記録装置に関するものである。
【背景技術】
【０００２】
インクジェット記録方法は、記録液（インク）の小滴を吐出し、紙等の記録媒体に付着させて記録を行うものである。インクの吐出方式としては、例えば、電気熱変換体が発生する熱エネルギーをインクに与えて気泡を生じさせることにより液滴を吐出させる方式が良く知られている。この方式は、記録ヘッドの高密度マルチオリフィス化が容易に実現でき、高解像度及び高品質の画像を高速で記録できる利点を有している（特許文献１〜３参照）。
【０００３】
しかし、インクジェット記録方法では、カラー画像を記録しようとする場合、複数の色のインクがそれぞれ定着する前に次のインクが重ねられることから、付与されるインク量が多くなることに起因した問題を生じ得ることが知られている。すなわち、付与インク量が多いことに起因して、記録画像の異なる色の境界部分で色が滲んだり、不均一に混じり合ったりして（以下、ブリーディングともいう）画像品位が低下するという問題がある。
【０００４】
特に、２つの異なる色のインクを用いて２次色の画像を記録する場合は、以下に述べる理由により、ブリーディングや発色低下がより顕著に発生する。異なる２色のインクを用いて２次色の画像を記録する場合、インク中の色剤が記録媒体に沈み込むのを抑えるために、インクの記録媒体に対する浸透性を低下させることがある。しかし、この場合、記録媒体に最初に付与されたインクが定着する前に、次に吐出されたインクが（最初に付与されたインクに）重ねて付与されることになる。その結果、浸透しないで記録媒体上に存在する単位面積当たりのインク量が１次色の画像を記録する場合に比べて多くなる。この場合、２次色の画像形成領域に隣接する他の画像領域との境界部でブリーディングの発生がより顕著となることがある。
【０００５】
このブリーディングを抑えるために、インク中に界面活性剤等の浸透性を高める化合物を添加したインクを用いることが知られている（特許文献４参照）。しかし、最初に付与されたインクの界面活性剤等によって記録媒体のインクに対する浸透性が高くなる。その結果、次のインクが重ねて付与されると、浸透性の高い記録媒体に浸透性の高いインクが付与されることになる。そして、インクの色剤が記録紙の奥深くまで浸透し、画像濃度が低下したり、画像の鮮明性が低下したり、記録媒体の裏面に画像が裏抜けて見える等の不都合を生じる。
【０００６】
これに対し、インクの付与に先立って記録紙上に画像を良好にせしめる液体を付着させる方法が知られている。例えば、記録媒体上に予めカルボキシメチルセルロース、ポリビニルアルコール、ポリ酢酸ビニル等のポリマーの溶液を噴射してから記録する方法が提案されている（特許文献５参照）。この方法によれば、ブリーディングは改善されるものの、溶液自体の乾燥性が悪く、定着性が低下するという問題が懸念される。
【０００７】
これを改善するために、１分子当り２個以上のカチオン性基を有する有機化合物を含有する液体を付与した後、アニオン染料を含有したインクを付与する方法（特許文献６参照）が知られている。同様に、コハク酸等を含有した酸性液体を付与した後、インクを付与する方法（特許文献７参照）や、染料を不溶化する液体を記録前に付与する方法（特許文献８参照）も知られている。
【０００８】
しかし、何れの方法も、記録媒体内に反応液が浸透して、記録媒体中に存在し且つ記録媒体表面からなくなった後にインクを付与するものである。このため、ブリーディングはある程度抑えられるものの、その後、さらに別の色の着色インクを付与して２次色の画像を記録する場合は、反応液と十分に反応することができないことに起因した問題を生じることがある。すなわち、ほとんどの反応は記録媒体中で起こるために発色性が向上しないという問題や、記録媒体の裏面で色剤が視認される裏抜けの問題があった。
【０００９】
これに対し、記録媒体に反応液を付与した後、その反応液が付与された領域上に少なくとも１回以上インクを付与し、さらにそのインクが付与された領域に反応液を付与する提案がなされている（特許文献９参照）。
【００１０】
【特許文献１】特公昭６１−５９９１１号公報
【特許文献２】特公昭６１−５９９１２号公報
【特許文献３】特公昭６１−５９９１４号公報
【特許文献４】特開昭５５−６５２６９号公報
【特許文献５】特開昭５６−８９５９５号公報
【特許文献６】特開昭６３−２９９７１号公報
【特許文献７】特開昭６４−９２７９号公報
【特許文献８】特開昭６４−６３１８５号公報
【特許文献９】特開２００２−３３７３３２号公報
【発明の開示】
【発明が解決しようとする課題】
【００１１】
以上のとおり、反応液を用いてブリーディングを改善する従来技術は、２次色の画像を記録する場合にインクと反応液とが十分に反応して記録画像の濃度ないし発色性などの記録品位を高める点で難点がある。これは、上述した従来技術では、反応液とインクの付与間隔が、反応液およびインクさらにはそれらの混合物の記録媒体に対する浸透性に応じて適切に設定されていないため、記録媒体上での反応液とインクの反応が不十分となることがあるからである。そして、その結果として、十分な発色が得られなかったり、さらにはブリーディングを完全に防止できなかったりすることもある。
【００１２】
上記従来技術のうち、反応液を付与した後、インクを付与し、さらにその上に反応液を付与する方法は、インクを付与する前にかならず反応液が付与されることとなるため、記録媒体上での反応液とインクとの反応は比較的良好になされる。しかし、この方法によって、１回の走査で２次色の画像を記録することを可能とするには、各色インクの吐出ノズルごとに反応液吐出用ノズルを設ける必要がある。その結果、このように各インクのノズルごとに反応液と主張ノズルを設けて記録の高速化を図る場合、記録ヘッドのコストが上昇し上で好ましくない。
【００１３】
本発明の目的は、２次色の画像を記録する際のブリーディングを改善しつつ、発色性を向上させ、また、記録媒体におけるインクの裏抜けの問題も解決したインクジェット記録方法およびインクジェット記録装置を提供することにある。
【課題を解決するための手段】
【００１４】
そのために本発明では、第一のインクと、前記第一のインクとは異なる色の第二のインクと、前記第一および第二のインク中の成分を凝集または不溶化させる反応液を記録媒体に付与して記録を行うインクジェット記録方法であって、前記記録媒体に前記反応液を付与する第一の付与工程と、前記第一の付与工程において前記反応液が付与された領域の少なくとも一部に、前記第一のインクを付与する第二の付与工程と、前記第二の付与工程において前記第一のインクが付与された領域の少なくとも一部に、前記第二のインクを付与する第三の付与工程と、を有し、前記反応液の前記記録媒体に対する濡れ時間Ｔｗ１と、前記反応液を付与してから前記第一のインクを付与するまでの時間Ｔｄ１が、Ｔｄ１＜Ｔｗ１の関係を満たし、且つ、前記第一のインクと前記反応液の混合物の前記記録媒体に対する濡れ時間Ｔｗ２と、前記第一のインクを付与してから前記第二のインクを付与するまでの時間Ｔｄ２が、Ｔｄ２＜Ｔｗ２の関係を満たすことを特徴とする。
【００１５】
また、第一のインクと、前記第一のインクとは異なる色の第二のインクと、前記第一および第二のインクの色材を凝集または不溶化させる反応液を付与するための付与手段を用いて記録媒体に記録を行うインクジェット記録装置であって、前記反応液が付与された記録媒体上の領域の少なくとも一部に対して前記第一のインクを付与した後に、前記第一のインクが付与された領域の少なくとも一部に対して前記第二のインクを付与するように、前記付与手段を制御する制御手段を有し、前記制御手段は、前記反応液の前記記録媒体に対する濡れ時間Ｔｗ１と、前記反応液を付与してから前記第一のインクを付与するまでの時間Ｔｄ１が、Ｔｄ１＜Ｔｗ１の関係を満たし、且つ、前記第一のインクと前記反応液の混合物の前記記録媒体に対する濡れ時間Ｔｗ２と、前記第一のインクを付与してから前記第二のインクを付与するまでの時間Ｔｄ２が、Ｔｄ２＜Ｔｗ２の関係を満たすように、前記付与手段を制御することを特徴とする。
【発明の効果】
【００１６】
以上の構成によれば、反応液が着付与されてから記録媒体中に浸透を始めるまでの時間Ｔｗ１および反応液と第一のインクとの混合物生成されて記録媒体中に浸透を始めるまでの時間Ｔｗ２が、それぞれ次にインクが付与されるまでの時間より長くなる。これにより、反応液とインクあるいはこれらの混合物とインクとの反応が記録媒体上で充分に行われる。
【００１７】
その結果、２次色の画像を記録する際のブリーディングが改善されるともに、発色性が向上し、また、記録媒体におけるインクの裏抜けの問題も解消した記録を行うことが可能となる。
【発明を実施するための最良の形態】
【００１８】
以下、図面を参照して本発明の実施形態を詳細に説明する。  
本発明の一実施形態に係るインクジェット記録方法は、記録媒体上に、多価金属イオンを含む反応液を付与した後、その反応液の表面張力よりも低い表面張力を有する複数の顔料インクを付与して記録を行うインクジェット記録方法である。具体的には、インク色剤としての顔料を凝集させる反応液を上記記録媒体上に付与する第一の付与行程を有する。また、この第一の付与行程によって記録媒体上の上記反応液が付与された領域の少なくとも一部の領域に、第一の顔料インクを付与する第二の付与行程を有する。さらに、上記第二の付与行程によって記録媒体上に上記第一の顔料インクが付与された領域の少なくとも一部の領域に、前記第一の顔料インクとは異なる第二の顔料インクを付与する第三の付与行程とを有するものである。
【００１９】
そして、上記反応液の、記録媒体に対する濡れ時間Ｔｗ１と、上記反応液を付与してから上記第一の顔料インクを付与するまでの時間Ｔｄ１が、
Ｔｄ１＜Ｔｗ１    式１
で示される関係にある。さらに、上記第一のインクと上記反応液の混合物の記録媒体に対する濡れ時間Ｔｗ２と、上記第一の顔料インクを付与してから上記第二の顔料インクを付与するまでの時間Ｔｄ２が、
Ｔｄ２＜Ｔｗ２    式２
で示される関係にある。
【００２０】
以上の記録方法において、第一の付与行程で反応液を記録媒体に付与するための方法（以下、付与方法）は、特に限定されないが、周知技術であるインクジェット法による付与が好適に使用できる。また、インクジェット法による付与方法としては、例えば、熱エネルギーを利用してインクを吐出する方法や、印可された電圧に応じて変形する圧電素子を備え、その電圧素子の変形を利用してインクを吐出する方法があげられる。また、第二および第三の付与工程で、顔料インクを記録媒体に付与する方法についても特に限定されず、反応液の付与方法と同様の方法を用いることができる。
【００２１】
第二の付与行程で付与される第一の顔料インクは、第一の付与行程で付与される反応液と少なくとも一部の領域、好ましくは、反応液の付与領域と顔料インクの付与領域ができるだけ多くの領域で一致するように付与される。ただし、それぞれの領域が完全に一致しなければ、反応液と顔料インクの反応による画質向上効果が得られないというわけではない。また、本実施形態においては、反応液と第一の顔料インクを液状で接触させるという観点および、第一の顔料インクと反応液との反応により生成される凝集物を速やかに定着させるという観点から、反応液の浸透性よりも顔料インクの浸透性を高くしている。詳しくは、反応液の表面張力よりも第一の顔料インクの表面張力を低くしている。この表面表力の関係は、例えば、反応液と第一の顔料インク中の界面活性剤の含有比率を変えることにより調整することができる。
【００２２】
また、反応液は、その記録媒体に対する濡れ時間Ｔｗが経過したときから記録媒体に浸透を開始し始める。従って、本実施形態では、この濡れ時間Ｔｗと、反応液を付与してから第一の顔料インクを付与するまでの時間Ｔｄ１が、上記式１（Ｔｄ１＜Ｔｗ１）で規定される関係を満たす記録を行う。すなわち、反応液の浸透が始まる前に顔料インクを付与して反応液と接触させる。これにより、記録媒体上で液状で存在している反応液の界面に顔料インクを接触させることができる。
【００２３】
上記のとおり、濡れ時間Ｔｗとは、反応液が記録媒体の表面に接触してから吸収が始まるまでの遅れ時間のことである。この濡れ時間Ｔｗはブリストー法によって求めることができる。ブリストー法はＪＡＰＡＮＴＡＰＰＩ紙パルプ試験方法Ｎｏ．５１の『紙及び板紙の液体吸収性試験方法』に記載されている。これによれば、濡れ時間Ｔｗは、吸収係数Ｋａ（ｍＬ／ｍ2・ｍｓ1/2）と粗さ指数Ｖｒ（ｍＬ／ｍ2）によって定められる吸収曲線によって求めることができる。この吸収曲線の一例を図１に示す。
【００２４】
本実施形態における濡れ時間Ｔｗは、図１に示すように、吸収係数Ｋａを算出するための最小二乗法による近似直線Ａと、液体の転移量Ｖ、粗さ指数Ｖｒで表されるＶ＝Ｖｒの直線Ｂとの交点ＡＢまでの時間としている。また、一般的に普通紙などの記録媒体の液体吸収性は、液体の表面張力を主因子として制御することができる。そして一般的なインクジェット記録方法では、付与時間差（着弾時間差）Ｔｄは数ミリ秒以上であることから、反応液の表面張力は３５ｍＮ／ｍから６０ｍＮ／ｍであることが望ましい。
【００２５】
ここで、本実施形態における、反応液と第１の顔料インクの着弾時間差Ｔｄ１は、厳密には、反応液が吐出されて記録媒体に着弾してから、第一の顔料インクが吐出されて記録媒体に着弾するまでの時間である。しかし、一般的に、記録ヘッドから反応液またはインクが吐出されてから記録媒体に着弾するまでの時間は、必ずしも毎回同じ時間となるものではなく、反応液やインクの種類によっても変化するものであるから、正確に把握することは難しい。また、あるインクが吐出してから着弾するまでの時間に多少のばらつきがあっても、その差は、着弾時間差に比べて無視できる程度に小さいものである。これらの点から、本実施形態における着弾時間差Ｔｄは、反応液が吐出されてから、第一の顔料インクが吐出されるまでの時間で定義するものとする。
【００２６】
反応液が吐出されてから第一の顔料インクが吐出されるまでの時間Ｔｄ１は、反応液とインクを吐出するためのそれぞれのノズル間の距離および、それぞれのノズルの駆動周波数、および記録解像度を介して制御することができる。具体的には、反応液を吐出するためのノズルと第二の顔料インクを吐出するためのノズルの主走査方向における距離がＡｍｍで、それぞれのノズルの駆動周波数がＢＨｚ、記録解像度がＣｄｐｉであるとすると、着弾時間差Ｔｄ１は次の式で求められる。  
Ｔｄ１＝Ｃ×Ａ／２５．４×（１／Ｂ）
例えば、吐出口間の距離が２ｍｍで、駆動周波数が２０ｋＨｚ、解像度が１２００ｄｐｉであれば、着弾時間差Ｔｄは約５ｍｓｅｃとなる。
【００２７】
さらに、第二の付与行程で付与された第一の顔料インクに、この第一の顔料インクとは異なる色の第二の顔料インクを付与する第三の付与行程は以下のとおりである。なお、第二の顔料インクが、第一の顔料インク異なるのは、本実施形態では、特に二次色の画質を向上させることを目的としているためである。具体的には、第一の顔料と第二の顔料にそれぞれ、シアン顔料とマゼンタ顔料でブルーの画像を作成する場合、シアン顔料とイエロー顔料でグリーンの画像を作成する場合、マゼンタ顔料とイエロー顔料でレッドの画像を作成する場合が挙げられる。ただし、二次色を作成する場合の付与順序は問わない。
【００２８】
第三の付与工程では、上述のとおり、第一のインクと反応液の凝集物（以下、混合物とも言う）の、記録媒体に対する濡れ時間Ｔｗ２と、第一の顔料インクを付与してから第二の顔料インクを付与するまでの時間差Ｔｄ２が、上記式２の関係を満たす。これは、第三の付与行程で第二の顔料インクを付与するタイミングを規定したものである。具体的には、第二の付与行程で第一の顔料インクが付与されてから、記録媒体上に存在する、反応液と第一の顔料インクの混合物の濡れ時間Ｔｗが経過する前に、第二の顔料インクを付与する。
【００２９】
上記式１の関係を満たすようにして、記録媒体に液状で存在する反応液に第一の顔料インクが付与されると、反応液と第一の顔料インクの混合物が生成される。ここで、この混合物は、第一の顔料インクが付与された直後は液状で存在し、濡れ時間Ｔｗ２が経過したときから記録媒体に浸透を開始し始める。従って、浸透が完全に終了する前に第二の顔料インクを付与することにより、記録媒体上に存在している混合物の界面に顔料インクを接触させることができる。
【００３０】
本実施形態の上述した記録方法によれば、反応液と第一の顔料インク、第二の顔料インクを記録媒体上で十分に反応させることができる。これに対し、上記式１および式２に示す条件のいずれか１つでも満たされない場合は、反応液と顔料インクが十分に反応することができない。
【００３１】
また、上記式１と式２の関係を同時に満たすためには、反応液と第一の顔料インクおよび第二の顔料インクを同一の走査で付与することが望ましい。これに対し、一般的な記録ヘッドにおいて、複数回の走査で２次色の画像を記録しようとする場合、例えば、１回目の走査で反応液を付与し、２回目の走査で第一の顔料インクと第二の顔料インクを付与することが考えられる。この場合、１回目の走査で反応液が付与されてから２回目の走査で顔料インクが付与されるまでの間に、反応液の塗れ時間Ｔｗ１が経過する可能性が高く、反応液が記録媒体中に沈み込むことによって、両インクとも反応液との反応が充分にならない場合がある。また、１回目の走査時に、反応液と第一の顔料インクを付与し、２回目の走査で第二の顔料インクを付与する場合も同様に、第二の顔料インクが付与されるまでに、反応液と第一の顔料インクの混合物の濡れ時間Ｔｗ２が経過してしまう可能性が高くなる。
【００３２】
次に、本実施形態で用いる反応液について説明する。本実施形態の反応液に含有される、顔料インクと反応する反応剤として最も好適なものは多価金属塩が挙げられる。多価金属塩は、二価以上の多価金属イオンとこれら多価金属イオンに結合する陰イオンとから構成される。そして反応液中では、この多価金属塩の少なくとも一部が解離している。
【００３３】
多価金属イオンの具体例として、Ｃａ2+、Ｃｕ2+、Ｎｉ2+、Ｍｇ2+及びＺｎ2+等の二価金属イオン、そしてＦｅ3+及びＡｌ3+等の三価金属イオンが挙げられる。又、陰イオンとしては、Ｃｌ-、ＮＯ3-、ＳＯ42-等が挙げられる。瞬時に反応させて凝集膜を形成するために、反応液中の多価金属イオンの総電荷濃度は、顔料インク中の逆極性イオンの総電荷濃度の２倍以上であることが望ましい。
【００３４】
本実施形態の反応液に使用できる水溶性有機溶剤としては、例えば、ジメチルホルムアミド、ジメチルアセトアミド等のアミド類、アセトン等のケトン類、テトラヒドロフラン、ジオキサン等のエーテル類がある。また、水溶性有機溶剤としては、ポリエチレングリコール、ポリプロピレングリコール等のポリアルキレングリコール類、エチレングリコール、プロピレングリコール、ブチレングリコール、トリエチレングリコール、１，２，６−ヘキサントリオールがある。さらに、水溶性有機溶剤としては、チオジグリコール、ヘキシレングリコール、ジエチレングリコール等のアルキレングリコール類、エチレングリコールメチルエーテル、ジエチレングリコールモノメチルエーテルがある。さらに、水溶性有機溶剤としては、トリエチレングリコールモノメチルエーテル等の多価アルコールの低級アルキルエーテル類、エタノール、イソプロピルアルコール、ｎ−ブチルアルコール、イソブチルアルコール等の１価アルコール類がある。これらの他、水溶性有機溶剤としては、グリセリン、Ｎ−メチル−２−ピロリドン、１，３−ジメチル−イミダゾリジノン、トリエタノールアミン、スルホラン、ジメチルサルホキサイド等が挙げられる。本実施形態の反応液中における上記水溶性有機溶剤の含有量については特に制限はないが、反応液全質量の５〜６０質量％、好ましくは５〜４０質量％の範囲である。
【００３５】
また、本実施形態の反応液には、必要に応じて、粘度調整剤、ｐＨ調整剤、防腐剤、酸化防止剤等の添加剤を適宜配合してもよい。しかし、浸透促進剤として機能する界面活性剤の選択と添加量は、記録媒体に対する反応液の浸透性を抑制する上で考慮することが必要である。また、本実施形態の反応液は、無色であることがより好ましいが、記録媒体上でインクと混合された際に、各色インクの色調を変えない範囲の淡色のものでもよい。さらに、以上のような反応液の各種物性の好適な範囲としては、２５℃付近での粘度が１〜３０ｃｐｓ．の範囲となるように調整されたものが好ましい。また、前述したように、着弾時間差Ｔｄは数ミリ秒以上であること、顔料インクと反応液とを紙面上で十分に反応させるという観点から、反応液の表面張力は３５ｍＮ／ｍから６０ｍＮ／ｍであることが望ましい。
【００３６】
次に、本実施形態で用いる顔料インクについて説明する。本実施形態の顔料インクに用いられる顔料は、顔料インクの全質量に対して、質量比で１〜２０質量％、好ましくは２〜１２質量％の範囲で用いられる。本実施形態の顔料としては次のようなものが挙げられる。イエローの顔料としては、例えば、Ｃ．Ｉ．ＰｉｇｍｅｎｔＹｅｌｌｏｗ１、Ｃ．Ｉ．ＰｉｇｍｅｎｔＹｅｌｌｏｗ２である。さらには、Ｃ．Ｉ．ＰｉｇｍｅｎｔＹｅｌｌｏｗ３、Ｃ．Ｉ．ＰｉｇｍｅｎｔＹｅｌｌｏｗ１３、Ｃ．Ｉ．ＰｉｇｍｅｎｔＹｅｌｌｏｗ１６、Ｃ．Ｉ．ＰｉｇｍｅｎｔＹｅｌｌｏｗ８３等である。マゼンタの顔料としては、例えば、Ｃ．Ｉ．ＰｉｇｍｅｎｔＲｅｄ５、Ｃ．Ｉ．ＰｉｇｍｅｎｔＲｅｄ７、Ｃ．Ｉ．ＰｉｇｍｅｎｔＲｅｄ１２、Ｃ．Ｉ．ＰｉｇｍｅｎｔＲｅｄ４８（Ｃａ）、Ｃ．Ｉ．ＰｉｇｍｅｎｔＲｅｄ４８（Ｍｎ）である。さらには、Ｃ．Ｉ．ＰｉｇｍｅｎｔＲｅｄ５７（Ｃａ）、Ｃ．Ｉ．ＰｉｇｍｅｎｔＲｅｄ１１２、Ｃ．Ｉ．ＰｉｇｍｅｎｔＲｅｄ１２２等が挙げられる。シアンの顔料としては、例えば、Ｃ．Ｉ．ＰｉｇｍｅｎｔＢｌｕｅ１、Ｃ．Ｉ．ＰｉｇｍｅｎｔＢｌｕｅ２、Ｃ．Ｉ．ＰｉｇｍｅｎｔＢｌｕｅ３、Ｃ．Ｉ．ＰｉｇｍｅｎｔＢｌｕｅ１５：３、Ｃ．Ｉ．ＰｉｇｍｅｎｔＢｌｕｅ１６である。さらには、Ｃ．Ｉ．ＰｉｇｍｅｎｔＢｌｕｅ２２、Ｃ．Ｉ．ＶａｔＢｌｕｅ４、Ｃ．Ｉ．ＶａｔＢｌｕｅ６等が挙げられる。もちろん、これらに限られるものではない。また、以上の他、自己分散型顔料等、新たに製造された顔料も使用することができる。
【００３７】
また、顔料の分散剤としては、水溶性樹脂ならどのようなものでもよいが、重量平均分子量が１，０００〜３０，０００の範囲のものが好ましい。更に好ましくは、３，０００〜１５，０００の範囲のものを使用する。このような分散剤として、例えば、スチレン、スチレン誘導体、ビニルナフタレン、ビニルナフタレン誘導体、α，β−エチレン性不飽和カルボン酸の脂肪族アルコールエステル等、アクリル酸、アクリル酸誘導体、マレイン酸、マレイン酸誘導体がある。また、分散剤として、イタコン酸、イタコン酸誘導体、フマール酸、フマール酸誘導体、酢酸ビニル、ビニルピロリドン、アクリルアミドがある。さらには、分散剤として、上記の誘導体等から選ばれた少なくとも２つ以上の単量体（このうち少なくとも１つは親水性の重合性単量体）からなるブロック共重合体、或いは、ランダム共重合体、グラフト共重合体、又はこれらの塩等が挙げられる。さらには、分散剤として、ロジン、シェラック、デンプン等の天然樹脂も好ましく使用することができる。これらの樹脂は、塩基を溶解させた水溶液に可溶であり、アルカリ可溶型樹脂である。なお、これらの顔料分散剤として用いられる水溶性樹脂は、顔料インクの全質量に対して０．１〜５質量％の範囲で含有させるのが好ましい。
【００３８】
特に、上記したような顔料が含有されている顔料インクの場合には、顔料インクの全体が中性又はアルカリ性に調整されていることが好ましい。このようなものとすることにより、顔料分散剤として使用される水溶性樹脂の溶解性を向上させ、長期保存性に一層優れた顔料インクとすることができるので好ましい。但し、この場合、インクジェット記録装置に使われている種々の部材の腐食の原因となる場合があるので、好ましくは、７〜１０のｐＨ範囲とするのが望ましい。
【００３９】
この際に使用されるｐＨ調整剤としては、例えば、ジエタノールアミン、トリエタノールアミン等の各種有機アミン、水酸化ナトリウム、水酸化リチウム、水酸化カリウム等のアルカリ金属の水酸化物等の無機アルカリ剤、有機酸や鉱酸等が挙げられる。上記したような顔料及び分散剤である水溶性樹脂は、水性液媒体中に分散または溶解される。
【００４０】
本実施形態で使用される顔料が含有された顔料インクにおいて好適な水性液媒体は、水及び水溶性有機溶剤の混合溶媒である。水としては種々のイオンを含有する一般の水ではなく、イオン交換水（脱イオン水）を使用するのが好ましい。
【００４１】
水と混合して使用される水溶性有機溶剤は、例えば、メチルアルコール、エチルアルコール、ｎ−プロピルアルコール、イソプロピルアルコール、ｎ−ブチルアルコール、ｓｅｃ−ブチルアルコールである。また、ｔｅｒｔ−ブチルアルコール等の炭素数１〜４のアルキルアルコール類；ジメチルホルムアミド、ジメチルアセトアミド等のアミド類を用いることができる。さらには、アセトン、ジアセトンアルコール等のケトン又はケトアルコール類；テトラヒドロフラン、ジオキサン等のエーテル類；ポリエチレングリコール、ポリプロピレングリコール等のポリアルキレングリコール類を用いることができる。さらには、アルキレングリコール類を用いることもできる。このアルキレングリコール類には、エチレングリコール、プロピレングリコール、ブチレングリコール、トリエチレングリコールがある。また、１，２，６−ヘキサントリオール、チオジグリコール、ヘキシレングリコール、ジエチレングリコール等のアルキレン基が２〜６個の炭素原子を含むものもある。水溶性有機溶剤は、さらにはグリセリンがある。さらに、水溶性有機溶剤には、エチレングリコールモノメチル（又はエチル）エーテル、ジエチレングリコールメチル（又はエチル）エーテル、トリエチレングリコールモノメチル（又はエチル）エーテル等の多価アルコールの低級アルキルエーテル類がある。さらには、水溶性有機溶剤には、Ｎ−メチル−２−ピロリドン、２−ピロリドン、１，３−ジメチル−２−イミダゾリジノン等が挙げられる。これらの多くの水溶性有機溶剤の中でも、ジエチレングリコール等の多価アルコール、トリエチレングリコールモノメチル（又はエチル）エーテル等の多価アルコールの低級アルキルエーテルが好ましい。
【００４２】
上記したような水溶性有機溶剤の顔料インク中の含有量は、一般的には、顔料インクの全質量の３〜５０質量％の範囲である。好ましくは３〜４０質量％の範囲で使用する。また、使用される水の含有量としては、顔料インクの全質量の１０〜９０質量％、好ましくは３０〜８０質量％の範囲とする。
【００４３】
また、本実施形態の顔料インクとして、上記の成分の他に、必要に応じて所望の物性値を持つ顔料インクとするために、界面活性剤、消泡剤、防腐剤等を適宜に添加することができる。特に、浸透促進剤として機能する界面活性剤は、記録媒体に反応液と顔料インクの液体成分を速やかに浸透させる役割を担うための適量を添加する必要がある。添加量の例としては、０．０５〜１０質量％、好ましくは０．５〜５質量％が好適である。
【００４４】
アニオン性界面活性剤の例としては、カルボン酸塩型、硫酸エステル型、スルホン酸塩型、燐酸エステル型等、一般に使用されているものを何れも好ましく使用することができる。
【００４５】
上記したような顔料が含有された顔料インクの作製方法は、始めに、分散剤としての水溶性樹脂と水とが少なくとも含有された水性媒体に顔料を添加し、混合撹拌した後、後述の分散手段を用いて分散を行う。また、必要に応じて遠心分離処理を行って所望の分散液を得る。次に、この分散液にサイズ剤及び上記で挙げたような適宜に選択された添加剤成分を加え、撹拌して本発明で使用する顔料インクとする。
【００４６】
なお、分散剤として前述したようなアルカリ可溶型樹脂を使用する場合には、樹脂を溶解させるために塩基を添加することが必要である。この際の塩基類としては、モノエタノールアミン、ジエタノールアミン、トリエタノールアミン、アミンメチルプロパノール、アンモニア等の有機アミン、或いは水酸化カリウム、水酸化ナトリウム等の無機塩基が好ましく使用される。
【００４７】
また、顔料インクの作製方法においては、顔料を含む水性媒体を攪拌して分散処理する前に、プレミキシングを３０分間以上行うのが効果的である。すなわち、このようなプレミキシング操作は、顔料表面の濡れ性を改善し、顔料表面への分散剤の吸着を促進することができるため、好ましい。
【００４８】
上記した顔料の分散処理の際に使用される分散機は、一般に使用される分散機であれば如何なるものでもよい。例えば、ボールミル、ロールミル及びサンドミル等が挙げられる。その中でも、高速型のサンドミルが好ましく使用される。このようなものとしては、例えば、スーパーミル、サンドグラインダー、ビーズミル、アジテータミル、グレンミル、ダイノーミル、パールミル及びコボルミル（何れも商品名）等が挙げられる。
【００４９】
また、顔料インクを用いるインクジェット記録方法では、耐目詰り性等の要請から、最適な粒度分布を有する顔料を用いる。所望の粒度分布を有する顔料を得る方法としては、分散機の粉砕メディアのサイズを小さくすること、粉砕メディアの充填率を大きくすることがある。その他、処理時間を長くすること、吐出速度を遅くすること、粉砕後フィルタや遠心分離機等で分級すること、及びこれらの手法の組合せ等の手法が挙げられる。
【００５０】
（実施例）
以下、本発明の具体的実施例と比較例について説明する。なお、以下の記載において、「部」または「％」とあるものは、特に断わらない限り質量基準である。先ず、下記に述べるようにして、それぞれ顔料とアニオン性化合物とを含むシアン（Ｃ）、マゼンタ（Ｍ）、およびイエロー（Ｙ）の顔料インクＣ１、Ｍ１、Ｙ１を得た。
【００５１】
（顔料インク）
＜顔料分散液の作製＞
・スチレン−アクリル酸−アクリル酸エチル共重合体
(酸価２４０、重量平均分子量＝５，０００)１．５部
・モノエタノールアミン                  １．０部
・ジエチレングリコール                  ５．０部
・イオン交換水                        ８１．５部
【００５２】
上記成分を混合し、ウォーターバスで７０℃に加温し、樹脂分を完全に溶解させる。この溶液に新たに試作されたピグメントブルー１５  １０部、イソプロピルアルコール１部を加え、３０分間プレミキシングを行った後、下記の条件で分散処理を行った。
・分散機：サンドグラインダー（五十嵐機械製）
・粉砕メディア：ジルコニウムビーズ、１ｍｍ径
・粉砕メディアの充填率：５０％（体積比）
・粉砕時間：３時間
さらに、遠心分離処理（１２，０００ｒｐｍ、２０分間）を行い、粗大粒子を除去して顔料分散液とした。
【００５３】
＜顔料インクＣ１の作製＞
上記の分散液を使用し、下記の組成比を有する成分を混合し、顔料を含有するインクを作製して顔料インクとした。このときの表面張力は３４ｍＮ／ｍであった。
・上記顔料分散液                      ３０．０部
・グリセリン                          １０．０部
・エチレングリコール                    ５．０部
・Ｎ−メチルピロリドン                  ５．０部
・エチルアルコール                      ２．０部
・アセチレノールＥＨ
（川研ファインケミカル製）              １．０部
・イオン交換水                        ４７．０部
【００５４】
（顔料インクＭ１、Ｙ１）
顔料インクＣ１の調製の際に使用したピグメントブルー１５  １０部を、下記表１の顔料に代えた以外は、顔料インクＣ１の調製と同様にして顔料を含有した顔料インクＭ１及びＹ１を調製した。このときの表面張力はそれぞれ、３１ｍＮ／ｍ、及び３３ｍＮ／ｍであった。
【００５５】
【表１】
0004717627.tif 000002
【００５６】
（反応液Ｓ１〜Ｓ３）
次に、下記の成分を混合溶解した後、更にポアサイズが０．２２μｍのメンブレンフィルター（商品名：フロロポアフィルター、住友電工製）にて加圧濾過し、ｐＨが３．８に調整されている反応液Ｓ１を得た。同様に、下記表２に示す組成の反応液Ｓ２〜Ｓ３を調製した。
【００５７】
【表２】
0004717627.tif 000003
【００５８】
次に、所定の記録媒体に対する反応液Ｓ１〜Ｓ３の濡れ時間Ｔｗ１（ｍｓｅｃ）をブリストー法により測定した。測定には、動的浸透性試験装置（東洋精機製作所製）を用いて吸収係数Ｋａを粗さ指数とともに測定した。測定した塗れ時間Ｔｗ１（ｍｓｅｃ）の結果を表３に示す。ここで濡れ時間Ｔｗの算出方法は、図１に示すように、吸収係数Ｋａを算出するための最小二乗法による近似直線Ａと、液体の転移量Ｖ、粗さ指数Ｖｒで表されるＶ＝Ｖｒの直線Ｂとの交点ＡＢまでの時間とした。
【００５９】
【表３】
0004717627.tif 000004
【００６０】
次に、顔料インクＣ１と、反応液Ｓ１を１対１の割合で混合、攪拌したのち、顔料インクの凝集物を除く上澄み液を取り出し、濡れ時間Ｔｗ２（ｍｓｅｃ）をブリストー法により測定した。反応液Ｓ２からＳ３についても同様の方法で塗れ時間Ｔｗ２（ｍｓｅｃ）を測定した。測定方法は上述の方法と同様の方法を用いた。結果を表４に示す。
【００６１】
【表４】
0004717627.tif 000005
【００６２】
実施例１〜７
普通紙であるＰＢ用紙（キヤノン製）に反応液Ｓ１を付与した後、顔料インクＣ１を付与し、さらに顔料インクＭ１を付与して、１辺が１ｃｍのブルーの正方形画像を１００％デューティーのいわゆるベタ画像として記録した。この際、反応液を付与してから顔料インクＣ１を付与するまでの時間差Ｔｄ１と、顔料インクＣ１を付与してから顔料インクＭ１を付与するまでの時間差Ｔｄ２を、表５に示す時間差となるように記録ヘッドの駆動を制御した。
【００６３】
上記インクおよび反応液の付与は、記録ヘッドを用いたインクジェット記録装置による記録動作によって行った。用いた記録ヘッドは１２００ｄｐｉの密度でノズルを配列したものであり、この記録ヘッドを駆動周波数２０ｋＨｚで駆動した。また、吐出されるインク滴および反応液滴の１滴当たりの体積は、それぞれ４ｐｌである。また、上記の記録の際の環境条件は、２５℃、５５％ＲＨである。なお、上記のベタ画像を作成する際の顔料インクと反応液の付与量は同一となるようにした。
【００６４】
図２は、本実施例で用いた記録装置の概略構成を説明するための斜視図である。本例の記録装置５０はシリアルスキャン方式の記録装置であり、ガイド軸５１，５２によって、キャリッジ５３が矢印Ａの主走査方向に移動自在にガイドされている。キャリッジ５３は、キャリッジモータおよびその駆動力を伝達するベルト等の駆動力伝達機構により、主走査方向に往復動される。
【００６５】
キャリッジ５３には、記録ヘッド１０（図２においては不図示）と、その記録ヘッド１０にインクを供給するインクタンク５４が搭載される。記録ヘッド１０とインクタンク５４は、インクジェットカートリッジを構成するものであってもよい。記録ヘッド１０は、シアン、マゼンタ、イエロー、ブラックおよび反応液それぞれについて上述したように１２００ｄｐｉの密度で複数のノズルを配列いたものである。また、インクタンク５４は、シアン、マゼンタ、イエロー、ブラックおよび反応液を貯留するそれぞれのインクタンクからなるものである。
【００６６】
記録媒体としての上述の用紙Ｐは、装置の前端部に設けられた挿入口５５から挿入された後、その搬送方向が反転されてから、送りローラ５６によって矢印Ｂの副走査方向に搬送される。記録装置５０は、記録ヘッド１０を主走査方向に移動させつつ、プラテン５７上の用紙Ｐのプリント領域に向かってインクを吐出させる記録動作を行う。また、この走査の間に記録ヘッドの記録幅に対応する距離だけ用紙Ｐを副走査方向に搬送する搬送動作を行う。これらを繰り返すことによって、用紙Ｐ上に順次画像を記録する。
【００６７】
キャリッジ５３の移動領域における図２中の左端には、キャリッジ５３に搭載された記録ヘッド１０の吐出口１５の形成面と対向する回復系ユニット（回復処理手段）５８が設けられている。回復系ユニット５８には、記録ヘッド１０の吐出口１５のキャッピングが可能なキャップと、そのキャップ内に負圧を導入可能な吸引ポンプなどが備えられている。これにより、吐出口１５を覆ったキャップ内に負圧を導入することにより、吐出口１５からインクを吸引排出させて、記録ヘッド１０の良好なインク吐出状態を維持すべく回復処理（「吸引回復処理」ともいう）をする。また、キャップ内に向かって、吐出口１５から画像の寄与しないインクを吐出させることによって、記録ヘッド１０の良好なインク吐出状態を維持すべく回復処理（「吐出回復処理」ともいう）をすることもできる。
【００６８】
図３は、本発明を適用可能な記録装置の制御系の概略ブロック構成図である。図３において、ＣＰＵ１００は、本記録装置の動作の制御処理やデータ処理等を実行する。ＲＯＭ１０１は、それらの処理手順等のプログラムが格納され、またＲＡＭ１０２は、それらの処理を実行するためのワークエリアなどとして用いられる。記録ヘッド１０からのインクの吐出は、ＣＰＵ１００が発熱素子１９の駆動データ（画像データ）および駆動制御信号（ヒートパルス信号）をヘッドドライバ１０Ａに供給することにより行われる。ＣＰＵ１００は、キャリッジ５３を主走査方向に駆動するためのキャリッジモータ１０３をモータドライバ１０３Ａを介して制御し、また用紙Ｐを副走査方向に搬送するためのＰ．Ｆモータ１０４をモータドライバ１０４Ａを介して制御する。
【００６９】
ＣＰＵ１００によって実行される処理には、上述した１ｃｍ角の正方形画像の記録を始めとして入力する記録データに基づいて、記録ヘッドにおける対応するノズルについて吐出間隔Ｔｄ１、Ｔｄ２で駆動するための処理が含まれることはもちろんである。
【００７０】
比較例１〜４
実施例１〜７と同様な手法で記録物を作成した。ここで、反応液を付与してから顔料インクＣ１を付与するまでの時間差Ｔｄ１と、顔料インクＣ１を付与してから顔料インクＭ１を付与するまでの時間差Ｔｄ２を、それぞれ表５に示す時間差となるように記録ヘッドの駆動を制御した。
【００７１】
次に、実施例１〜７および比較例１〜４で作成した記録物を下記の評価方法および評価基準で評価した。
【００７２】
１．画像濃度
実施例１〜８、比較例１〜１１で作成したベタ画像について、反射濃度計を用いて反射濃度を測定した。その結果を表５に示す。
【００７３】
評価基準は以下の通りである。  
◎：反射濃度が１．０以上。  
○：反射濃度が０．８５以上１．０未満。  
×：反射濃度が０．８５未満。
【００７４】
２．裏抜け
画像濃度と同様にして裏抜けの評価を行った。すなわち、記録媒体の記録部の裏面側の反射濃度を測定した。その結果を表５に示す。
【００７５】
評価基準は以下の通りである。  
◎：反射濃度が、０．２未満。  
○：反射濃度が、０．２以上０．４未満。  
△：反射濃度が、０．４以上０．６未満。  
×：反射濃度が、０．６以上。
【００７６】
【表５】
0004717627.tif 000006
【００７７】
実施例８
普通紙であるＰＢ用紙（キヤノン製）に反応液Ｓ１を付与した後、反応液を付与してから顔料インクを付与するまでの時間差Ｔｄ１が５ｍｍsecとなるように顔料インクＣ１を付与した。そして、顔料インクＣ１を付与してからそれぞれ顔料インクＭ１、Ｙ１を付与するまでの時間差Ｔｄ２が、それぞれ５ｍｍsecおよび１０ｍｍsecとなるように顔料インクＭ１、Ｙ１を付与して１辺が１ｃｍの正方形画像をいわゆるベタ画像として記録した。
【００７８】
用いた記録ヘッドは、１２００ｄｐｉのノズル配列密度を有し、その駆動条件は駆動周波数１５ｋＨｚとした。また、インクおよび反応液それぞれの吐出液滴１滴の体積はそれぞれ４ｐｌである。また、記録の際の環境条件は、２５℃、５５％ＲＨである。
【００７９】
記録された記録物は、ブリーディングがなく色間の滲みは観察されなかった。そして、記録してから約５秒経過後に別の紙のエッジ部で記録部を擦ったところ、記録画像に摺りあとが残ることはなかった。
【００８０】
以上説明したように、反応液が付与されてから第一の顔料インクが付与されるまでの時間をＴｄ１、反応液の塗れ時間をＴｗ１、反応液に対して第一の顔料インクが付与されてから、第二の顔料インクが付与されるまでの時間をＴｄ２、反応液と第一の顔料インクの混合物の濡れ時間をＴｗ２としたとき、
Ｔｄ１＜Ｔｗ１
Ｔｄ２＜Ｔｗ２
である記録条件によって、特に、二次色の画像を作成する際の、ブリーディングを防止し、定着性、発色性が向上させることができる。
【００８１】
（他の実施形態）
上述した実施形態および実施例では、顔料インクと顔料を凝集させる反応液を用いた場合の濡れ時間と吐出時間差の関係について説明したが、本発明の適用はこの例に限られない。例えば、染料を色剤として用いたインクと染料を不溶化する反応液を用いた場合についても、同様に濡れ時間と吐出時間差とのm上述した関係を満たすことにより、ブリーディングを防止できるとともに、発色性が向上し、裏抜けのない記録を行うことができる。
【図面の簡単な説明】
【００８２】
【図１】ブリストー法における吸収曲線を説明する図である。
【図２】本発明の一実施例に係るインクジェット記録装置の概略構成を示す斜視図である。
【図３】図２に示した記録装置の制御構成を示すブロック図である。
【符号の説明】
【００８３】
１０    記録ヘッド
１００    ＣＰＵ
【図１】
0004717627.tif 000007
【図２】
0004717627.tif 000008
【図３】
0004717627.tif 000009